(57)【要約】【課題】所持品の紛失をより確実に防止することができる情報処理システムを提供すること。【解決手段】親機１０は、位置検出部１１と、対象物に付された無線タグのＩＤを格納する対象物情報格納部１２と、無線タグからそのＩＤを受信する識別情報受信部１３と、識別情報受信部１３による受信状況が所定のアラーム条件を満たす無線タグを検出するアラーム検出部１４と、検出された無線タグのＩＤおよび自装置の位置情報を含むアラーム情報をアラーム受信機２０に送信するアラーム情報送信部１５とを有し、アラーム受信機２０は、アラーム情報受信部２１と、アラーム情報格納部２２と、アラーム情報に含まれる位置情報を報知するアラーム検出位置報知部２３と、アラーム情報に含まれるＩＤが示す無線タグから該ＩＤを受信する識別情報受信部２４と、該ＩＤの受信状況が所定の発見条件を満たすアラーム情報に関する報知を終了する発見検出部２５とを有する。【選択図】      図３
2013117764.tif 000002
【特許請求の範囲】
【請求項１】
第１の情報処理装置と、第２の情報処理装置とを備え、
前記第１の情報処理装置は、
自装置の位置を検出する位置検出部と、
対象物に付された無線タグの識別情報を格納する対象物情報格納部と、
前記無線タグからその識別情報を受信する識別情報受信部と、
前記対象物情報格納部にその識別情報が格納された無線タグのうち、前記識別情報受信部による受信状況が所定のアラーム条件を満たす無線タグを検出するアラーム検出部と、
前記アラーム検出部によって検出された無線タグの識別情報、および、前記位置検出部によって検出される自装置の位置を表す位置情報を含むアラーム情報を前記第２の情報処理装置に送信するアラーム情報送信部と、
を有し、
前記第２の情報処理装置は、
前記第１の情報処理装置から前記アラーム情報を受信するアラーム情報受信部と、
受信したアラーム情報を格納するアラーム情報格納部と、
前記アラーム情報格納部に格納された前記アラーム情報に含まれる位置情報を報知するアラーム検出位置報知部と、
前記アラーム情報格納部に格納された前記アラーム情報に含まれる識別情報が示す無線タグから該識別情報を受信する識別情報受信部と、
前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、
を有する情報処理システム。
【請求項２】
前記第１の情報処理装置および前記第２の情報処理装置の対応関係を表す情報を格納する対応装置情報格納部と、
前記第１の情報処理装置から前記アラーム情報を受信すると、受信したアラーム情報の送信元の第１の情報処理装置に対応付けられた第２の情報処理装置を特定することにより、特定した第２の情報処理装置に対して該アラーム情報を送信するアラーム情報仲介部と、
を有するサーバ装置をさらに備え、
前記第１の情報処理装置のアラーム情報送信部は、前記サーバ装置を介して前記アラーム情報を前記第２の情報処理装置に送信し、
前記第２の情報処理装置のアラーム情報受信部は、前記サーバ装置を介して前記第１の情報処理装置から前記アラーム情報を受信することを特徴とする請求項１に記載の情報処理システム。
【請求項３】
前記サーバ装置は、
受信したアラーム情報を格納するアラーム情報サーバ格納部をさらに有し、
前記第２の情報処理装置の前記アラーム情報受信部は、前記サーバ装置に対して、前記アラーム情報の再送要求を送信し、
前記サーバ装置の前記アラーム情報仲介部は、前記第２の情報処理装置からの再送要求に応じて、前記アラーム情報サーバ格納部に格納したアラーム情報を前記第２の情報処理装置に再送することを特徴とする請求項２に記載の情報処理システム。
【請求項４】
前記第１の情報処理装置の前記アラーム検出部は、前記識別情報受信部による受信状況が前記アラーム条件を満たすか否かを判断する前に、該受信状況が所定の要注意条件を満たすか否かを判断し、
前記第１の情報処理装置は、
前記要注意条件を満たすと判断された無線タグについて、該無線タグが付された対象物に対する注意喚起を表す情報を報知する報知部をさらに有することを特徴とする請求項１から請求項３のいずれか１項に記載の情報処理システム。
【請求項５】
前記第１の情報処理装置の前記アラーム検出部は、前記無線タグから該識別情報を受信していないことを前記アラーム条件として用いることを特徴とする請求項１から請求項４のいずれか１項に記載の情報処理システム。
【請求項６】
自装置の位置を検出する位置検出部と、
対象物に付された無線タグの識別情報を格納する対象物情報格納部と、
前記無線タグからその識別情報を受信する識別情報受信部と、
前記対象物情報格納部にその識別情報が格納された無線タグのうち、前記識別情報受信部による受信状況が所定のアラーム条件を満たす無線タグを検出するアラーム検出部と、
前記アラーム検出部によって検出された無線タグの識別情報、および、前記位置検出部によって検出される自装置の位置を表す位置情報を含むアラーム情報を、他の情報処理装置に送信するアラーム情報送信部と、
を備えた情報処理装置。
【請求項７】
対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信部と、
受信したアラーム情報を格納するアラーム情報格納部と、
前記アラーム情報格納部に格納された前記アラーム情報に含まれる位置情報を報知するアラーム検出位置報知部と、
前記アラーム情報格納部に格納された前記アラーム情報に含まれる識別情報が示す無線タグから該識別情報を受信する識別情報受信部と、
前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、
を備えた情報処理装置。
【請求項８】
第１の情報処理装置は、
対象物に付された無線タグからその識別情報を受信するための通信を行い、
前記識別情報の受信状況が所定のアラーム条件を満たすか否かを判断し、
前記所定のアラーム条件を満たす無線タグについて、該無線タグの識別情報、および、自装置の位置を表す位置情報を含むアラーム情報を第２の情報処理装置に送信し、
前記第２の情報処理装置は、
前記アラーム情報を受信し、
受信したアラーム情報に含まれる位置情報を報知し、
受信したアラーム情報に含まれる識別情報が示す無線タグから該識別情報を受信するための通信を行い、
該識別情報の受信状況が、所定の発見条件を満たすか否かを判断し、
該識別情報の受信状況が前記所定の発見条件を満たす場合に前記報知を終了する、情報処理方法。
【請求項９】
対象物に付された無線タグからその識別情報を受信するための通信を行う識別情報受信ステップと、
前記識別情報の受信状況が所定のアラーム条件を満たすか否かを判断するアラーム判断ステップと、
前記所定のアラーム条件を満たす無線タグについて、該無線タグの識別情報、および、自装置の位置を表す位置情報を含むアラーム情報を、他の情報処理装置に対して送信するアラーム情報送信ステップと、
をコンピュータ装置に実行させるコンピュータ・プログラム。
【請求項１０】
対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信ステップと、
受信したアラーム情報に含まれる位置情報を報知するアラーム情報報知ステップと、
受信したアラーム情報に含まれる識別情報が示す無線タグから該識別情報を受信するための通信を行う識別情報受信ステップと、
該識別情報の受信状況が、所定の発見条件を満たすか否かを判断する発見判断ステップと、
前記受信状況が前記所定の発見条件を満たす場合に前記報知を終了する報知終了ステップと、
をコンピュータ装置に実行させるコンピュータ・プログラム。
【発明の詳細な説明】
【技術分野】
【０００１】
本発明は、所持品を管理するための情報処理システム、情報処理装置、情報処理方法、および、コンピュータ・プログラムに関する。
【背景技術】
【０００２】
所持品を管理する情報処理装置として、所持品の紛失防止を支援するものが知られている。
【０００３】
例えば、特許文献１に記載された情報処理装置は、自装置の位置を検出する位置検出部と、所持品リストと、所持品データベースと、無線タグリーダと、管理部と、警告部とを備える。この情報処理装置は、所持品リストとして、無線タグが付された所持品を表す情報およびその無線タグの識別情報を対応付けて記憶しておく。また、管理部は、無線タグと定期的に通信を行うことにより、各無線タグの識別情報を受信する。そして、管理部は、識別情報を受信した無線タグについて、通信日時と、通信時において検出された自装置の位置情報とを対応付けて、所持品データベースに記録する。警告部は、所持品データベースを参照することにより、所持品リストにある所持品のうち、付された無線タグの識別情報が受信されていないものに関する情報を報知する。
【先行技術文献】
【特許文献】
【０００４】
【特許文献１】特開２００７−１８３９７号公報
【発明の概要】
【発明が解決しようとする課題】
【０００５】
上述の特許文献１に記載されたものは、受信していた識別情報を受信できなくなったと判断した時点で警告を行うので、紛失を予防するための報知を行っていると言える。しかしながら、例えば子供や被介護者等のような利用者は、紛失予防の報知に気づかない場合や、報知に気づいても、携行していない所持品を発見できずにそのまま他の場所に移動してしまうような場合がある。したがって、特許文献１に記載されたものは、紛失予防の報知を行うだけでは、所持品の紛失を防止できない場合があるという問題があった。
【０００６】
本発明は、上述の課題を解決するためになされたもので、所持品の紛失をより確実に防止することができる情報処理システムを提供することを目的とする。
【課題を解決するための手段】
【０００７】
本発明の情報処理システムは、第１の情報処理装置と、第２の情報処理装置とを備え、前記第１の情報処理装置は、自装置の位置を検出する位置検出部と、対象物に付された無線タグの識別情報を格納する対象物情報格納部と、前記無線タグからその識別情報を受信する識別情報受信部と、前記対象物情報格納部にその識別情報が格納された無線タグのうち、前記識別情報受信部による受信状況が所定のアラーム条件を満たす無線タグを検出するアラーム検出部と、前記アラーム検出部によって検出された無線タグの識別情報、および、前記位置検出部によって検出される自装置の位置を表す位置情報を含むアラーム情報を前記第２の情報処理装置に送信するアラーム情報送信部と、を有し、前記第２の情報処理装置は、前記第１の情報処理装置から前記アラーム情報を受信するアラーム情報受信部と、受信したアラーム情報を格納するアラーム情報格納部と、前記アラーム情報格納部に格納された前記アラーム情報に含まれる位置情報を報知するアラーム検出位置報知部と、前記アラーム情報格納部に格納された前記アラーム情報に含まれる識別情報が示す無線タグから該識別情報を受信する識別情報受信部と、前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、を有する。
【０００８】
また、本発明の情報処理装置は、自装置の位置を検出する位置検出部と、対象物に付された無線タグの識別情報を格納する対象物情報格納部と、前記無線タグからその識別情報を受信する識別情報受信部と、前記対象物情報格納部にその識別情報が格納された無線タグのうち、前記識別情報受信部による受信状況が所定のアラーム条件を満たす無線タグを検出するアラーム検出部と、前記アラーム検出部によって検出された無線タグの識別情報、および、前記位置検出部によって検出される自装置の位置を表す位置情報を含むアラーム情報を、他の情報処理装置に送信するアラーム情報送信部と、を備える。
【０００９】
また、本発明の情報処理装置は、対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信部と、受信したアラーム情報を格納するアラーム情報格納部と、前記アラーム情報格納部に格納された前記アラーム情報に含まれる位置情報を報知するアラーム検出位置報知部と、前記アラーム情報格納部に格納された前記アラーム情報に含まれる識別情報が示す無線タグから該識別情報を受信する識別情報受信部と、前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、を備える。
【００１０】
また、本発明の情報処理方法は、第１の情報処理装置は、対象物に付された無線タグからその識別情報を受信するための通信を行い、前記識別情報の受信状況が所定のアラーム条件を満たすか否かを判断し、前記所定のアラーム条件を満たす無線タグについて、該無線タグの識別情報、および、自装置の位置を表す位置情報を含むアラーム情報を第２の情報処理装置に送信し、前記第２の情報処理装置は、前記アラーム情報を受信し、受信したアラーム情報に含まれる位置情報を報知し、受信したアラーム情報に含まれる識別情報が示す無線タグから該識別情報を受信するための通信を行い、該識別情報の受信状況が、所定の発見条件を満たすか否かを判断し、該識別情報の受信状況が前記所定の発見条件を満たす場合に前記報知を終了する。
【００１１】
また、本発明のコンピュータ・プログラムは、対象物に付された無線タグからその識別情報を受信するための通信を行う識別情報受信ステップと、前記識別情報の受信状況が所定のアラーム条件を満たすか否かを判断するアラーム判断ステップと、前記所定のアラーム条件を満たす無線タグについて、該無線タグの識別情報、および、自装置の位置を表す位置情報を含むアラーム情報を、他の情報処理装置に対して送信するアラーム情報送信ステップと、をコンピュータ装置に実行させる。
【００１２】
また、本発明のコンピュータ・プログラムは、対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信ステップと、受信したアラーム情報に含まれる位置情報を報知するアラーム情報報知ステップと、受信したアラーム情報に含まれる識別情報が示す無線タグから該識別情報を受信するための通信を行う識別情報受信ステップと、該識別情報の受信状況が、所定の発見条件を満たすか否かを判断する発見判断ステップと、前記受信状況が前記所定の発見条件を満たす場合に前記報知を終了する報知終了ステップと、をコンピュータ装置に実行させる。
【発明の効果】
【００１３】
本発明は、所持品の紛失をより確実に防止することができる情報処理システムを提供することができる。
【図面の簡単な説明】
【００１４】
【図１】本発明の第１の実施の形態としての情報処理システムの構成を示すブロック図である。
【図２】本発明の第１の実施の形態としての情報処理システムを構成する各装置のハードウェア構成図である。
【図３】本発明の第１の実施の形態としての情報処理システムを構成する各装置の機能ブロック図である。
【図４】本発明の第１の実施の形態における対象物情報格納部に格納される情報の一例を示す図である。
【図５】本発明の第１の実施の形態におけるアラーム情報の一例を示す図である。
【図６】本発明の第１の実施の形態としての情報処理システムの動作を説明するフローチャートである。
【図７】本発明の第２の実施の形態としての情報処理システムの構成を示すブロック図である。
【図８】本発明の第２の実施の形態としての情報処理システムを構成するサーバ装置のハードウェア構成図である。
【図９】本発明の第２の実施の形態としての情報処理システムを構成する各装置の機能ブロック図である。
【図１０】本発明の第２の実施の形態における対応装置情報格納部に格納される情報の一例を示す図である。
【図１１】本発明の第２の実施の形態におけるアラーム情報サーバ格納部に格納される情報の一例を示す図である。
【図１２】本発明の第２の実施の形態としての情報処理システムの動作を説明するフローチャートである。
【図１３】図１２に続くフローチャートである。
【発明を実施するための形態】
【００１５】
以下、本発明の実施の形態について、図面を参照して詳細に説明する。
【００１６】
（第１の実施の形態）
本発明の第１の実施の形態としての情報処理システム１の構成を図１に示す。図１において、情報処理システム１は、本発明の第１の情報処理装置としての親機１０と、本発明の第２の情報処理装置としてのアラーム受信機２０とを備えている。また、情報処理システム１によって管理される対象物には、無線タグ３０が付されている。対象物は、例えば財布、鍵、ランドセル等、親機１０を携帯する利用者の所持品である。親機１０およびアラーム受信機２０は、インターネット、ＬＡＮ（Local Area Network）、公衆回線網、無線通信網またはこれらの組合せ等によって構成されるネットワークを介して互いに通信可能に接続されている。なお、図１には、親機１０およびアラーム受信機２０を１つずつ示したが、本発明の情報処理システムが備える第１の情報処理装置および第２の情報処理装置の数を限定するものではない。また、図１には、３つの無線タグを示したが、本発明の情報処理システムが管理する対象物の数を限定するものではない。
【００１７】
次に、情報処理システム１を構成する各装置のハードウェア構成を図２に示す。図２において、親機１０は、制御部１００１と、メモリ１００２と、液晶ディスプレイ１００３と、入力装置１００４と、スピーカ１００５と、アンテナ１００６と、無線通信モジュール１００７と、無線タグリーダ１００８と、位置検出装置１００９とを有する携帯端末によって構成される。
【００１８】
メモリ１００２は、携帯端末を本発明の第１の情報処理装置として動作させるコンピュータ・プログラムおよび各種データを格納している。
【００１９】
制御部１００１は、メモリ１００２に格納されたコンピュータ・プログラムを読み込んで実行することにより、携帯端末を構成する各部を制御する。
【００２０】
無線通信モジュール１００７は、アンテナ１００６を介して無線通信を行う。
【００２１】
無線タグリーダ１００８は、無線タグ３０から発信される情報を受信する。また、無線タグリーダ１００８は、無線タグ３０から発信される情報を含む受信電波の強さを測定する。
【００２２】
位置検出装置１００９は、例えば、ＧＰＳ（Global Positioning System）受信機、ジャイロセンサや加速度センサを含む自律航法ユニット、または、これらの組み合わせによって構成され、自装置の位置を検出する。
【００２３】
アラーム受信機２０は、制御部２００１と、メモリ２００２と、液晶ディスプレイ２００３と、入力装置２００４と、スピーカ２００５と、アンテナ２００６と、無線通信モジュール２００７と、無線タグリーダ２００８とを有する携帯端末によって構成される。
【００２４】
メモリ２００２は、携帯端末を本発明の第２の情報処理装置として動作させるコンピュータ・プログラムおよび各種データを格納している。
【００２５】
制御部２００１は、メモリ２００２に格納されたコンピュータ・プログラムを読み込んで実行することにより、携帯端末を構成する各部を制御する。
【００２６】
無線通信モジュール２００７は、アンテナ２００６を介して無線通信を行う。
【００２７】
無線タグリーダ２００８は、無線タグ３０から発信される情報を受信する。また、無線タグリーダ２００８は、無線タグ３０から発信される情報を含む受信電波の強さを測定する。
【００２８】
無線タグ３０は、アンテナと、送信回路と、制御回路と、メモリとを含んでいる。メモリは、無線タグ３０の個体を識別可能な識別情報（タグＩＤ）を格納している。このようなタグＩＤは、無線タグ３０の製造時に書き換え不能に書き込まれたものであってもよいし、親機１０またはアラーム受信機２０の無線タグリーダによって書き込まれたものであってもよい。
【００２９】
無線タグ３０は、例えば、電池を内蔵したアクティブタグによって構成されてもよい。この場合、制御回路は、所定間隔で送信回路を駆動することにより、メモリに格納されたタグＩＤを、アンテナを介して送信する。あるいは、無線タグ３０は、パッシブタグによって構成されてもよい。この場合、無線タグ３０は、アンテナによって受信される電波により起電されることにより、送信回路を駆動してメモリに格納されたタグＩＤを送信する。
【００３０】
次に、情報処理システム１を構成する各装置の機能ブロック構成を図３に示す。図３において、親機１０は、位置検出部１１と、対象物情報格納部１２と、識別情報受信部１３と、アラーム検出部１４と、アラーム情報送信部１５と、を備える。ここで、位置検出部１１は、制御部１００１および位置検出装置１００９によって構成される。また、対象物情報格納部１２は、メモリ１００２によって構成される。また、識別情報受信部１３は、制御部１００１および無線タグリーダ１００８によって構成される。また、アラーム検出部１４は、制御部１００１によって構成される。また、アラーム情報送信部１５は、制御部１００１、アンテナ１００６および無線通信モジュール１００７によって構成される。なお、親機１０を構成する各機能ブロックのハードウェア構成は上述の構成に限定されない。
【００３１】
アラーム受信機２０は、アラーム情報受信部２１と、アラーム情報格納部２２と、アラーム検出位置報知部２３と、識別情報受信部２４と、発見検出部２５と、を備える。ここで、アラーム情報受信部２１は、制御部２００１、アンテナ２００６および無線通信モジュール２００７によって構成される。また、アラーム情報格納部２２は、メモリ２００２によって構成される。また、アラーム検出位置報知部２３は、制御部２００１、液晶ディスプレイ２００３、および、スピーカ２００５によって構成される。また、識別情報受信部２４は、制御部２００１および無線タグリーダ２００８によって構成される。また、発見検出部２５は、制御部２００１によって構成される。なお、アラーム受信機２０を構成する各機能ブロックのハードウェア構成は上述の構成に限定されない。
【００３２】
次に、親機１０の各機能ブロックについて説明する。
【００３３】
位置検出部１１は、自装置の位置を検出する。例えば、位置検出部１１は、ＧＰＳ受信機を用いて、自装置の位置情報を取得してもよい。また、位置検出部１１は、ジャイロセンサおよび加速度センサ等を含む自律航法ユニットを用いて、自装置の位置情報を取得してもよい。また、位置検出部１１は、無線通信モジュール２００７による直近の通信先である無線基地局の位置情報に基づいて、自装置の位置情報を取得してもよい。また、位置検出部１１は、ＧＰＳ受信機、自律航法ユニット、無線基地局に基づく情報を組み合わせることにより、自装置の位置情報を検出してもよい。
【００３４】
対象物情報格納部１２は、対象物に付された無線タグ３０の識別情報を格納する。対象物情報格納部１２は、無線タグ３０の識別情報に対応付けて、該無線タグ３０が付された対象物の名称等の情報を格納していてもよい。
【００３５】
対象物情報格納部１２に格納される情報の一例を図４に示す。図４は、例えば、タグＩＤ（識別情報）が「００１」の無線タグ３０は、「財布」という名称の対象物に付されていることを表している。
【００３６】
識別情報受信部１３は、無線タグ３０からその識別情報を受信する。識別情報受信部１３は、無線タグ３０がアクティブタグによって構成されていれば、無線タグ３０から所定間隔で発信される識別情報を受信する。あるいは、識別情報受信部１３は、無線タグ３０がパッシブタグによって構成されていれば、無線タグ３０に対して所定間隔で所定周波数の電波を発信することにより、その識別情報を受信する。
【００３７】
アラーム検出部１４は、対象物情報格納部１２にその識別情報が格納された無線タグ３０のうち、識別情報受信部１３による受信状況が所定のアラーム条件を満たす無線タグ３０を検出する。所定のアラーム条件とは、例えば、その識別情報が受信できなくなったことであってもよい。あるいは、所定のアラーム条件とは、無線タグ３０から受信する電波の強さを表す値が閾値以下になったことであってもよい。この場合、アラーム検出部１４は、識別情報受信部１３から、各無線タグ３０からの受信電波の強さを表す値を取得することにより、アラーム条件を満たすか否かを判断すればよい。
【００３８】
アラーム情報送信部１５は、アラーム検出部１４によって検出された無線タグ３０に関するアラーム情報を、アラーム受信機２０に送信する。アラーム情報は、アラーム条件を満たす無線タグ３０の識別情報、および、位置検出部１１によって検出される自装置の位置を表す位置情報（以降、アラーム検出位置とも記載する）を含む。その他、アラーム情報送信部１５は、アラーム情報に、アラーム条件を満たすと判断された日時（以降、アラーム検出日時とも記載する）、親機１０の識別情報、該当する無線タグ３０が付された対象物の名称等を含めてもよい。
【００３９】
アラーム情報送信部１５によって送信されるアラーム情報の一例を図５に示す。図５に示すアラーム情報は、タグＩＤ「００１」の無線タグ３０のアラーム検出位置が、「緯度35.646067、経度139.747589」であることを示している。また、このアラーム情報は、タグＩＤ「００１」の無線タグ３０のアラーム検出日時が「2011年9月1日9時」であり、この無線タグ３０が付された対象物の名称が「財布」であり、このアラーム情報の送信元の親機１０の識別情報が「Ａ１」であることを示している。
【００４０】
次に、アラーム受信機２０の各機能ブロックについて説明する。
【００４１】
アラーム情報受信部２１は、親機１０から送信されるアラーム情報を受信する。
【００４２】
アラーム情報格納部２２は、受信されたアラーム情報を格納する。
【００４３】
アラーム検出位置報知部２３は、アラーム情報格納部２２に格納されたアラーム情報について、そのアラーム情報に含まれる位置情報を報知する。例えば、アラーム検出位置報知部２３は、アラーム情報に含まれる位置情報を示す画像が重畳された地図画像を液晶ディスプレイ２００３に表示してもよい。アラーム検出位置報知部２３は、このようなアラーム検出位置を示す地図画像を、指定した位置を含む地図画像を任意の尺度で表示するウェブアプリケーションサービスにネットワークを介してアクセスすることにより表示してもよい。
【００４４】
識別情報受信部２４は、アラーム情報格納部２２に格納されたアラーム情報に含まれる識別情報が示す無線タグ３０から、その識別情報を受信する。
【００４５】
発見検出部２５は、アラーム情報格納部２２に格納されたアラーム情報のうち、所定の発見条件を満たすアラーム情報に関する報知を終了するよう、アラーム検出位置報知部２３を制御する。所定の発見条件とは、例えば、そのアラーム情報に含まれる識別情報が、識別情報受信部２４によって受信されたことであってもよい。
【００４６】
以上のように構成された情報処理システム１の動作について、図６を参照して説明する。なお、親機１０の対象物情報格納部１２には、既に対象物に付された無線タグ３０の識別情報が格納されているものとする。また、図６において、左図は親機１０の動作を表し、右図はアラーム受信機２０の動作を表し、左右を結ぶ破線の矢印は、装置間のデータの流れを表すものとする。
【００４７】
まず、親機１０のアラーム検出部１４は、対象物情報格納部１２に格納された各識別情報について、識別情報受信部１３による受信状況を取得する（ステップＳ１）。例えば、アラーム検出部１４は、受信状況として、識別情報受信部１３によってその識別情報が受信されているか否かを表す情報を、識別情報受信部１３から取得してもよい
次に、アラーム検出部１４は、その識別情報の受信状況が、所定のアラーム条件を満たすか否かを判断する（ステップＳ２）。例えば、アラーム検出部１４は、識別情報受信部１３によってその識別情報が受信されていない場合に、アラーム条件を満たすと判断してもよい。
【００４８】
ここで、その識別情報の受信状況が所定のアラーム条件を満たさないと判断された場合、親機１０は、この識別情報に対する処理を終了し、対象物情報格納部１２に格納された次の識別情報に対する処理をステップＳ１から繰り返す。また、対象物情報格納部１２に格納された全ての識別情報に対する処理を終了した場合、親機１０は、再度、対象物情報格納部１２に格納された各識別情報に対してステップＳ１からの処理を繰り返す。
【００４９】
一方、ステップＳ２において、その識別情報の受信状況が所定のアラーム条件を満たすと判断された場合、アラーム情報送信部１５は、位置検出部１１によって検出される位置情報を取得する（ステップＳ３）。
【００５０】
次に、アラーム情報送信部１５は、ステップＳ２でアラーム条件を満たすと判断された識別情報と、ステップＳ３で取得した位置情報とを含むアラーム情報を、アラーム受信機２０に対して送信する（ステップＳ４）。
【００５１】
次に、アラーム受信機２０のアラーム情報受信部２１は、親機１０からのアラーム情報を受信する（ステップＳ５）。このとき、アラーム情報受信部２１は、受信したアラーム情報をアラーム情報格納部２２に格納する。
【００５２】
次に、アラーム検出位置報知部２３は、受信したアラーム情報に含まれる位置情報を報知する（ステップＳ６）。例えば、前述のように、アラーム検出位置報知部２３は、アラーム検出位置を示す地図画像を液晶ディスプレイ２００３に表示してもよい。
【００５３】
ここで、アラーム受信機２０は、アラーム受信機２０の利用者により携帯されている。もし、アラーム検出位置の報知を確認した利用者がアラーム検出位置付近に移動した場合、アラーム受信機２０は、アラーム情報に含まれる識別情報を有する無線タグ３０からの電波を受信可能な位置にある場合がある。
【００５４】
そこで、次に、発見検出部２５は、アラーム情報に含まれる識別情報の受信状況を取得する（ステップＳ７）。例えば、発見検出部２５は、受信状況として、識別情報受信部２４によってその識別情報が受信されているか否かを表す情報を取得してもよい。
【００５５】
次に、発見検出部２５は、その識別情報の受信状況が、所定の発見条件を満たすか否かを判断する（ステップＳ８）。例えば、発見検出部２５は、識別情報受信部２４によってその識別情報が受信されている場合に、発見条件を満たすと判断してもよい。
【００５６】
ここで、アラーム情報に含まれる識別情報の受信状況が、発見条件を満たさないと判断された場合、アラーム受信機２０は、ステップＳ７からの動作を継続して行う。
【００５７】
一方、アラーム情報に含まれる識別情報の受信状況が、発見情報を満たすと判断した場合、発見検出部２５は、アラーム検出位置報知部２３による報知を終了させる（ステップＳ９）。例えば、発見検出部２５は、アラーム検出位置を示す画像が重畳された地図画像の表示を終了させる。また、これに伴い、発見検出部２５は、アラーム情報格納部２２に格納された該当するアラーム情報を削除してもよい。なお、アラーム情報受信部２１が、他の識別情報を含むアラーム情報を並行して受信しており、アラーム情報格納部２２が、複数のアラーム情報を格納している場合、発見検出部２５は、アラーム情報格納部２２に格納された残りのアラーム情報について、ステップＳ６からの処理を繰り返す。
【００５８】
以上で、情報処理システム１は動作を終了する。
【００５９】
次に、本発明の第１の実施の形態の効果について述べる。
【００６０】
本発明の第１の実施の形態としての情報処理システムは、所持品の紛失をより確実に防止することができる。
【００６１】
その理由は、親機のアラーム検出部が、対象物に付された無線タグからの識別情報の受信状況がアラーム条件を満たしたことを検出すると、アラーム情報送信部が、アラーム条件を満たした無線タグの識別情報および親機の位置情報を含むアラーム情報を、アラーム受信機に送信するからである。そして、アラーム受信機のアラーム検出位置報知部が、受信したアラーム情報に含まれる位置情報を報知し、識別情報受信部が、受信したアラーム情報に含まれる識別情報が示す無線タグとの通信を行い、発見検出部が、該識別情報の受信状況が発見条件を満たした場合に、報知を終了するからである。ここで、アラーム受信機は、アラーム情報を受信した時点では、アラーム情報に含まれる識別情報を有する無線タグから、該識別情報を受信できないほど離れた位置にある場合がある。このとき、アラーム受信機の利用者が、アラーム検出位置報知部による報知を確認することにより、アラーム検出位置付近に移動することを想定する。この場合、その利用者に携帯されるアラーム受信機は、アラーム情報に含まれる識別情報を有する無線タグから、その識別情報を受信可能な距離に位置することになる。このように、本実施の形態としての情報処理システムは、親機の利用者が所持品の非携行に気づかない場合であっても、携行されていない所持品に付された無線タグからの識別情報の受信状況が発見条件を満たすまで、アラーム受信機の利用者に対して報知を行う。これにより、本実施の形態としての情報処理システムは、親機の利用者によって携行されていない所持品を、アラーム受信機の利用者が発見することを支援することができる。その結果、本実施の形態としての情報処理システムは、親機の利用者の所持品の紛失をより確実に防止することができる。
【００６２】
（第２の実施の形態）
次に、本発明の第２の実施の形態について図面を参照して詳細に説明する。なお、本実施の形態の説明において参照する各図面において、本発明の第１の実施の形態と同一の構成および同様に動作するステップには同一の符号を付して本実施の形態における詳細な説明を省略する。
【００６３】
まず、本発明の第２の実施の形態としての情報処理システム２の構成を図７に示す。図７において、情報処理システム２は、本発明の第１の情報処理装置としての親機４０と、本発明の第２の情報処理装置としてのアラーム受信機５０と、サーバ装置６０とを備える。なお、情報処理システム２によって管理される対象物には、本発明の第１の実施の形態と同様に無線タグ３０が付されている。サーバ装置６０は、親機４０およびアラーム受信機５０と、インターネット、ＬＡＮ、公衆回線網、無線通信網またはこれらの組合せ等によって構成されるネットワークを介してそれぞれ通信可能に接続されている。なお、図７には、親機４０、アラーム受信機５０、および、サーバ装置６０を１つずつ示したが、本発明の情報処理システムが備える第１の情報処理装置、第２の情報処理装置、および、サーバ装置の数を限定するものではない。
【００６４】
次に、サーバ装置６０のハードウェア構成を図８に示す。なお、親機４０およびアラーム受信機５０のハードウェア構成は、図２に示した本発明の第１の実施の形態における親機１０およびアラーム受信機２０と同様に構成可能であるため、本実施の形態における説明を省略する。
【００６５】
図８において、サーバ装置６０は、ＣＰＵ（Central Processing Unit）６００１と、ＲＡＭ（Random Access Memory）６００２と、ＲＯＭ（Read Only Memory）６００３と、記憶装置６００４と、ネットワークインタフェース６００５とを備えたコンピュータ装置によって構成されている。
【００６６】
ＲＯＭ６００３および記憶装置６００４には、コンピュータ装置を本発明におけるサーバ装置として機能させるためのコンピュータ・プログラムおよび各種データが記憶されている。
【００６７】
ＣＰＵ６００１は、ＲＯＭ６００３および記憶装置６００４に記憶されたコンピュータ・プログラムおよび各種データをＲＡＭ６００２に読み込んで実行する。
【００６８】
ネットワークインタフェース６００５は、ネットワークを介して通信を行う。
【００６９】
次に、情報処理システム２を構成する各装置の機能ブロック構成について、図９を参照して説明する。
【００７０】
図９において、親機４０は、本発明の第１の実施の形態における親機１０に対して、アラーム検出部１４に替えてアラーム検出部４４と、アラーム情報送信部１５に替えてアラーム情報送信部４５とを備え、さらに、報知部４６を備える点が異なる。ここで、報知部４６は、制御部１００１、液晶ディスプレイ１００３およびスピーカ１００５によって構成されてもよい。
【００７１】
アラーム受信機５０は、本発明の第１の実施の形態におけるアラーム受信機２０に対して、アラーム情報受信部２１に替えてアラーム情報受信部５１と、アラーム検出位置報知部２３に替えてアラーム検出位置報知部５３と、発見検出部２５に替えて発見検出部５５とを備える点が異なる。
【００７２】
サーバ装置６０は、対応装置情報格納部６１と、アラーム情報仲介部６２と、アラーム情報サーバ格納部６３とを備える。ここで、アラーム情報仲介部６２は、ネットワークインタフェース６００５と、ＲＯＭ６００３および記憶装置６００４に記憶されたコンピュータ・プログラムおよび各種データをＲＡＭ６００２に読み込んで実行するＣＰＵ６００１とによって構成される。また、対応装置情報格納部６１およびアラーム情報サーバ格納部６３は、記憶装置６００４によって構成される。なお、サーバ装置６０の各機能ブロックのハードウェア構成は、上述の構成に限定されない。
【００７３】
次に、親機４０の各機能ブロックについて説明する。
【００７４】
アラーム検出部４４は、対象物情報格納部１２にその識別情報が格納された無線タグ３０のうち、識別情報受信部１３による受信状況がアラーム条件を満たすものを検出する前に、所定の要注意条件を満たす無線タグ３０を検出する。所定の要注意条件とは、例えば、その識別情報を有する無線タグ３０からの受信電波の強さを表す値が閾値以下になったことであってもよい。この要注意条件は、親機４０と無線タグ３０との距離が、アラーム条件が満たされる距離よりも短い距離で満たされるように設定される。
【００７５】
また、アラーム検出部４４は、アラーム条件を表す情報と、要注意条件を表す情報とを、入力装置１００４を介して取得してもよい。すなわち、アラーム条件および要注意条件は、親機４０の操作によって設定可能となっていてもよい。あるいは、アラーム検出部４４は、これらの情報を、無線通信モジュール１００７を介してアラーム受信機５０から取得してもよい。すなわち、これらの情報は、アラーム受信機５０の操作によって親機４０に設定可能となっていてもよい。
【００７６】
報知部４６は、アラーム検出部４４によって、要注意条件を満たすと判断された無線タグ３０について、注意を喚起する情報を報知する。例えば、報知部４６は、要注意条件を満たす無線タグ３０が付された対象物の名称を、液晶ディスプレイ１００３に表示してもよい。また、報知部４６は、注意喚起音としてあらかじめ設定されたサウンドデータを、スピーカ１００５を介して出力してもよい。
【００７７】
アラーム情報送信部４５は、本発明の第1の実施の形態におけるアラーム情報送信部１５と同様に構成される。ただし、アラーム情報送信部４５は、アラーム情報を、サーバ装置６０を介して送信する点が異なる。
【００７８】
次に、サーバ装置６０の各機能ブロックについて説明する。
【００７９】
対応装置情報格納部６１は、親機４０およびアラーム受信機５０の対応関係を表す情報を格納している。図１０に、対応装置情報格納部６１に格納される情報の一例を示す。図１０では、識別情報Ａ１の親機４０には、識別情報Ｂ１のアラーム受信機５０が対応付けられている。また、図１０に示すように、対応装置情報格納部６１は、これらの対応関係を表す情報に、さらに、親機４０の利用者名称等のように親機４０に固有の情報を含めて格納しておいてもよい。なお、親機４０およびアラーム受信機５０は、必ずしも１対１に対応付けられていなくてもよい。同一の識別情報を有する親機４０が複数のアラーム受信機５０に対応付けられていてもよいし、同一の識別情報を有するアラーム受信機５０に複数の親機４０が対応付けられていてもよい。また、この場合、対応装置情報格納部６１は、各装置の対応関係を表す情報と、親機４０に固有の情報とを、異なるテーブルとして格納しておいてもよい。
【００８０】
アラーム情報仲介部６２は、親機４０からアラーム情報を受信すると、対応装置情報格納部６１を参照することにより、受信元の親機４０に対応付けられたアラーム受信機５０を特定する。そして、アラーム情報仲介部６２は、特定したアラーム受信機５０に対して、受信したアラーム情報を送信する。
【００８１】
例えば、アラーム情報仲介部６２は、受信したアラーム情報を、メールに含めてアラーム受信機５０に送信してもよい。この場合、アラーム情報仲介部６２は、受信したアラーム情報を含めたメールの宛先に、アラーム受信機５０に割り当てられたメールアドレスを設定し、外部のメール送信サーバに送信してもよい。また、アラーム情報仲介部６２は、アラーム検出位置を示す画像を重畳した地図画像を表示するウェブアプリケーションサービスのＵＲＬ（Uniform Resource Locator）を取得し、取得したＵＲＬをアラーム検出位置として、メールに含めるようにしてもよい。
【００８２】
また、対応装置情報格納部６１に、親機４０に固有の情報が格納されていた場合、アラーム情報仲介部６２は、受信したアラーム情報と共に、その受信元の親機４０に固有の情報を、アラーム受信機５０に対して送信してもよい。例えば、アラーム情報をメールとして送信する場合、アラーム情報仲介部６２は、メールの文中に親機４０の利用者名称等を挿入してもよい。
【００８３】
また、アラーム情報仲介部６２は、親機４０から受信したアラーム情報を、アラーム情報サーバ格納部６３に格納する。
【００８４】
また、アラーム情報仲介部６２は、アラーム受信機５０からの再送要求に応じて、そのアラーム受信機５０に以前に送信したアラーム情報を再送する。再送要求については、詳細を後述する。
【００８５】
アラーム情報サーバ格納部６３は、アラーム情報を格納する。アラーム情報サーバ格納部６３に格納される情報の一例を図１１に示す。図１１に示すように、アラーム情報サーバ格納部６３は、アラーム情報の受信元の親機４０の識別情報、および、送信先のアラーム受信機５０の識別情報を、アラーム情報に対応付けて格納しておいてもよい。
【００８６】
次に、アラーム受信機５０の各機能ブロックについて説明する。
【００８７】
アラーム情報受信部５１は、本発明の第1の実施の形態におけるアラーム情報受信部２１と同様に構成される。ただし、アラーム情報受信部５１は、アラーム情報を、サーバ装置６０を介して受信する点が異なる。また、さらに、アラーム情報受信部５１は、サーバ装置６０に対して、アラーム情報の再送要求を送信する。
【００８８】
ここで、再送要求とは、一旦受信したアラーム情報が、外因によりアラーム情報格納部２２から削除された場合等に、サーバ装置６０に対して該アラーム情報の再送を要求する情報である。例えば、アラーム情報がメールとして受信され、アラーム情報格納部２２が、メールクライアントアプリケーションによって管理されるメールボックスによって構成される場合を想定する。この場合、利用者の操作ミス等により、該当するアラーム情報を含むメールが削除されてしまう場合がある。アラーム情報受信部５１は、入力装置２００４を介して入力される指示情報に応じて、アラーム情報の再送要求を、サーバ装置６０に対して送信する。また、アラーム情報受信部５１は、再送要求に対する応答としてのアラーム情報を受信する。
【００８９】
アラーム検出位置報知部５３は、本発明の第1の実施の形態におけるアラーム検出位置報知部２３と同様に構成されることに加えて、アラーム情報に含まれる識別情報が示す無線タグ３０からの受信電波の強さを表す情報を報知する。例えば、アラーム検出位置報知部５３は、所定のサウンドデータを、受信電波の強さに応じた音量でスピーカ２００５を介して出力してもよい。また、アラーム検出位置報知部５３は、受信電波の強さに応じたインジケータを表す画像を、液晶ディスプレイ２００３に表示してもよい。
【００９０】
発見検出部５５は、本発明の第1の実施の形態における発見検出部２５と同様に構成される。ただし、発見検出部５５は、アラーム情報に含まれる識別情報が示す無線タグ３０からの受信電波の強さが閾値以上になったことを、発見条件として用いる。
【００９１】
以上のように構成された情報処理システム２の動作について、図１２〜図１３を参照して説明する。なお、図１２において、左図は親機４０の動作を表し、右図はサーバ装置６０の動作を表し、左右を結ぶ破線の矢印は、装置間のデータの流れを表すものとする。また、図１３において、左図はサーバ装置６０の動作を表し、右図はアラーム受信機５０の動作を表し、左右を結ぶ破線の矢印は、装置間のデータの流れを表すものとする。
【００９２】
図１２では、まず、親機４０のアラーム検出部４４は、アラーム条件および要注意条件を表す情報を、入力装置１００４を介して取得する（ステップＳ１１）。
【００９３】
次に、アラーム検出部４４は、対象物情報格納部１２に格納された各識別情報について、識別情報受信部１３による受信状況を取得する（ステップＳ１２）。
【００９４】
次に、アラーム検出部４４は、その識別情報の受信状況が、ステップＳ１１で取得した要注意条件を満たすか否かを判断する（ステップＳ１３）。例えば、要注意条件が、受信電波の強さが閾値以下であることであれば、アラーム検出部４４は、その識別情報を含む受信電波の強さが閾値以下であるか否かを判断してもよい。
【００９５】
ここで、その識別情報の受信状況が要注意条件を満たさない場合、親機４０は、この識別情報に対する処理を終了し、対象物情報格納部１２に格納された次の識別情報に対する処理をステップＳ１２から繰り返す。
【００９６】
一方、その識別情報の受信状況が要注意条件を満たす場合、報知部４６は、その識別情報を有する無線タグ３０が付された対象物に対する注意喚起を表す情報を報知する（ステップＳ１４）。例えば、前述のように、報知部４６は、該当する対象物の名称を液晶ディスプレイ１００３に表示するとともに、注意喚起音をスピーカ１００５から出力してもよい。
【００９７】
次に、アラーム検出部４４は、その識別情報の受信状況が、ステップＳ１１で取得した要注意条件を満たすか否かを再度判断する（ステップＳ１５）。
【００９８】
ここで、その識別情報の受信状況が要注意条件を満たさなくなっていれば、報知部４６は、ステップＳ１４で開始した報知を終了する（ステップＳ１６）。そして、親機４０は、この識別情報に対する処理を終了し、対象物情報格納部１２に格納された次の識別情報に対する処理をステップＳ１２から繰り返す。
【００９９】
一方、その識別情報の受信状況が要注意条件を依然として満たしている場合、アラーム検出部４４は、その識別情報の受信状況が、ステップＳ１１で取得したアラーム条件を満たすか否かを判断する（ステップＳ１７）。例えば、アラーム条件として、その識別情報が受信されていないことが設定されている場合、アラーム検出部４４は、識別情報受信部１３によってその識別情報が受信されていなければ、アラーム条件を満たすと判断する。
【０１００】
ここで、その識別情報の受信状況がアラーム条件を満たさないと判断された場合、アラーム検出部４４は、ステップＳ１５からの処理を繰り返す。
【０１０１】
一方、その識別情報の受信状況がアラーム条件を満たすと判断された場合、アラーム情報送信部４５は、位置検出部１１によって検出される位置情報を取得する（ステップＳ１８）。
【０１０２】
次に、アラーム情報送信部４５は、ステップＳ１７でアラーム条件を満たすと判断された識別情報と、ステップＳ１８で取得した位置情報とを含むアラーム情報を、サーバ装置６０に対して送信する（ステップＳ１９）。サーバ装置６０のアラーム情報仲介部６２は、親機４０からのアラーム情報を受信する（ステップＳ２０）。
【０１０３】
次に、報知部４６は、ステップＳ１４で開始した報知を終了する（ステップＳ２１）。
【０１０４】
そして、親機４０は、対象物情報格納部１２に格納された次の識別情報に対する処理をステップＳ１２から繰り返す。
【０１０５】
以上のように、親機４０は、要注意条件を満たす無線タグ３０に関する報知を行い、さらに、アラーム条件を満たす無線タグ３０に関するアラーム情報を、サーバ装置６０に送信する。このような情報処理システム２の動作に続く動作を、図１３を参照して説明する。
【０１０６】
図１３では、まず、サーバ装置６０のアラーム情報仲介部６２は、ステップＳ２０で受信したアラーム情報の受信元の親機４０に対応付けられたアラーム受信機５０を、対応装置情報格納部６１を参照することにより、特定する（ステップＳ２２）。
【０１０７】
次に、アラーム情報仲介部６２は、受信したアラーム情報を、アラーム情報サーバ格納部６３に格納する（ステップＳ２３）。このとき、アラーム情報仲介部６２は、受信したアラーム情報に対して、受信元の親機４０の識別情報と、ステップＳ２２で特定したアラーム受信機５０の識別情報とを対応付けて、アラーム情報サーバ格納部６３に格納するようにしてもよい。
【０１０８】
次に、アラーム情報仲介部６２は、ステップＳ２２で特定したアラーム受信機５０に対して、ステップＳ２０で受信したアラーム情報を送信する（ステップＳ２４）。
【０１０９】
次に、アラーム受信機５０のアラーム情報受信部５１は、アラーム情報を受信する（ステップＳ２５）。このとき、アラーム情報受信部５１は、受信したアラーム情報をアラーム情報格納部２２に格納する。
【０１１０】
次に、アラーム情報受信部５１は、アラーム情報の再送要求を指示する情報が入力されたか否かを判断する（ステップＳ２６）。
【０１１１】
ここで、再送要求を指示する情報が入力されていない場合、アラーム受信機５０の動作は、ステップＳ２９に進む。
【０１１２】
一方、再送要求を指示する情報が入力された場合、アラーム情報受信部５１は、サーバ装置６０に対して、再送要求を送信する（ステップＳ２７）。
【０１１３】
次に、サーバ装置６０のアラーム情報仲介部６２は、アラーム情報サーバ格納部６３を参照することにより、再送要求の送信元のアラーム情報受信機５０に送信済みのアラーム情報を検索する。そして、アラーム情報仲介部６２は、検索したアラーム情報を、アラーム受信機５０に再送する（ステップＳ２８）。再送されたアラーム情報を受信したアラーム情報受信部５１は、受信したアラーム情報をアラーム情報格納部２２に格納する。
【０１１４】
次に、アラーム検出位置報知部５３は、受信したアラーム情報に含まれる位置情報を報知する（ステップＳ２９）。例えば、前述のように、アラーム検出位置報知部５３は、アラーム検出位置を示す地図画像を液晶ディスプレイ２００３に表示してもよい。
【０１１５】
次に、発見検出部５５は、アラーム情報に含まれる識別情報の受信状況を取得する（ステップＳ３０）。例えば、発見検出部５５は、受信状況として、識別情報受信部２４によってその識別情報が受信される受信電波の強さを表す値を取得してもよい。
【０１１６】
次に、アラーム検出位置報知部５３は、取得された受信電波の強さを表す値を、さらに報知する（ステップＳ３１）。
【０１１７】
次に、発見検出部５５は、その識別情報の受信状況が、所定の発見条件を満たすか否かを判断する（ステップＳ３２）。例えば、発見検出部５５は、その識別情報を含む受信電波の強さを表す値が閾値以上である場合に、発見条件を満たすと判断してもよい。
【０１１８】
ここで、アラーム情報に含まれる識別情報の受信状況が、発見条件を満たさないと判断された場合、アラーム受信機５０は、ステップＳ３０からの動作を継続して行う。
【０１１９】
一方、アラーム情報に含まれる識別情報の受信状況が、発見情報を満たすと判断した場合、発見検出部５５は、アラーム検出位置報知部５３による報知を終了させる（ステップＳ３３）。例えば、発見検出部５５は、アラーム検出位置を示す画像が重畳された地図画像の表示および受信電波の強さの表示を終了させる。また、これに伴い、発見検出部５５は、アラーム情報格納部２２に格納された該当するアラーム情報を削除してもよい。なお、アラーム情報受信部５１が、他の識別情報を含むアラーム情報を並行して受信しており、アラーム情報格納部２２が、複数のアラーム情報を格納している場合、発見検出部５５は、アラーム情報格納部２２に格納された残りのアラーム情報について、ステップＳ２６からの処理を繰り返す。
【０１２０】
また、アラーム受信機５０の発見検出部５５は、ステップＳ３２で発見条件を満たすと判断した後、サーバ装置６０に対して、アラーム情報サーバ格納部６３から該当するアラーム情報を削除するよう、通知してもよい。
【０１２１】
以上で、情報処理システム２の動作の説明を終了する。
【０１２２】
次に、本発明の第２の実施の形態の効果について述べる。
【０１２３】
本発明の第２の実施の形態としての情報処理システムは、所持品の紛失をより確実に防止しながらも、アラーム受信機の利用者の負担を軽減することができる。
【０１２４】
その理由は、親機のアラーム検出部が、アラーム条件を満たす無線タグに関するアラーム情報を送信する前に、要注意条件を満たす無線タグを検出し、報知部が、要注意条件を満たす無線タグに関する注意喚起の報知を行うからである。これにより、本実施の形態としての情報処理システムは、親機の利用者が所持品の携行し忘れに対応可能な場合には、アラーム情報を送信しない。つまり、本実施の形態としての情報処理システムは、アラーム受信機の利用者に対する報知が必要な状況をより精度よく判断することができる。その結果、本実施の形態としての情報処理システムは、アラーム受信機の利用者の負担を軽減する。
【０１２５】
また、さらなる理由は、サーバ装置が、親機およびアラーム受信機間のアラーム情報の送受信を仲介するとともにアラーム情報を蓄積しておき、アラーム受信機のアラーム情報受信部が、アラーム情報の再送要求をサーバ装置に対して送信し、サーバ装置が、アラーム情報を再送するからである。これにより、アラーム受信機が、受信したアラーム情報を外因により削除した場合であっても、アラーム情報を再受信して、確実にアラーム検出位置を報知することができることになる。したがって、本実施の形態としての情報処理システムは、より確実に、アラーム受信機の利用者による所持品の発見を支援することができることになる。
【０１２６】
なお、本発明の各実施の形態において、アラーム受信機は、アラーム情報を受信したタイミングで報知を行うものとして説明を行った。この他、例えば、アラーム情報がメールとして受信される場合、アラーム受信機は、アラーム受信機に対する操作に基づいてアラーム情報としてのメールがメールクライアントアプリケーションによってアクセスされるタイミングで、報知を行うようにしてもよい。
【０１２７】
また、本発明の各実施の形態におけるアラーム情報は、メールに限らず、その他の通信手段によりアラーム受信機に送信されてもよい。
【０１２８】
また、上述した本発明の各実施の形態において、各フローチャートを参照して説明した各装置の動作を、本発明のコンピュータ・プログラムとしてコンピュータ装置の記憶装置（記憶媒体）に格納しておき、係るコンピュータ・プログラムを当該ＣＰＵが読み出して実行するようにしてもよい。そして、このような場合において、本発明は、係るコンピュータ・プログラムのコード或いは記憶媒体によって構成される。
【０１２９】
また、上述した各実施の形態は、適宜組み合わせて実施されることが可能である。
【０１３０】
また、本発明は、上述した各実施の形態に限定されず、様々な態様で実施されることが可能である。
【０１３１】
また、上記の各実施の形態の一部又は全部は、以下の付記のようにも記載されうるが、以下には限られない。
（付記１）
第１の情報処理装置と、第２の情報処理装置とを備え、
前記第１の情報処理装置は、
自装置の位置を検出する位置検出部と、
対象物に付された無線タグの識別情報を格納する対象物情報格納部と、
前記無線タグからその識別情報を受信する識別情報受信部と、
前記対象物情報格納部にその識別情報が格納された無線タグのうち、前記識別情報受信部による受信状況が所定のアラーム条件を満たす無線タグを検出するアラーム検出部と、
前記アラーム検出部によって検出された無線タグの識別情報、および、前記位置検出部によって検出される自装置の位置を表す位置情報を含むアラーム情報を前記第２の情報処理装置に送信するアラーム情報送信部と、
を有し、
前記第２の情報処理装置は、
前記第１の情報処理装置から前記アラーム情報を受信するアラーム情報受信部と、
受信したアラーム情報を格納するアラーム情報格納部と、
前記アラーム情報格納部に格納された前記アラーム情報に含まれる位置情報を報知するアラーム検出位置報知部と、
前記アラーム情報格納部に格納された前記アラーム情報に含まれる識別情報が示す無線タグから該識別情報を受信する識別情報受信部と、
前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、
を有する情報処理システム。
（付記２）
前記第１の情報処理装置および前記第２の情報処理装置の対応関係を表す情報を格納する対応装置情報格納部と、
前記第１の情報処理装置から前記アラーム情報を受信すると、受信したアラーム情報の送信元の第１の情報処理装置に対応付けられた第２の情報処理装置を特定することにより、特定した第２の情報処理装置に対して該アラーム情報を送信するアラーム情報仲介部と、
を有するサーバ装置をさらに備え、
前記第１の情報処理装置のアラーム情報送信部は、前記サーバ装置を介して前記アラーム情報を前記第２の情報処理装置に送信し、
前記第２の情報処理装置のアラーム情報受信部は、前記サーバ装置を介して前記第１の情報処理装置から前記アラーム情報を受信することを特徴とする付記１に記載の情報処理システム。
（付記３）
前記サーバ装置は、
受信したアラーム情報を格納するアラーム情報サーバ格納部をさらに有し、
前記第２の情報処理装置の前記アラーム情報受信部は、前記サーバ装置に対して、前記アラーム情報の再送要求を送信し、
前記サーバ装置の前記アラーム情報仲介部は、前記第２の情報処理装置からの再送要求に応じて、前記アラーム情報サーバ格納部に格納したアラーム情報を前記第２の情報処理装置に再送することを特徴とする付記２に記載の情報処理システム。
（付記４）
前記第１の情報処理装置の前記アラーム検出部は、前記識別情報受信部による受信状況が前記アラーム条件を満たすか否かを判断する前に、該受信状況が所定の要注意条件を満たすか否かを判断し、
前記第１の情報処理装置は、
前記要注意条件を満たすと判断された無線タグについて、該無線タグが付された対象物に対する注意喚起を表す情報を報知する報知部をさらに有することを特徴とする付記１から付記３のいずれか１つに記載の情報処理システム。
（付記５）
前記第１の情報処理装置の前記アラーム検出部は、前記無線タグから該識別情報を受信していないことを前記アラーム条件として用いることを特徴とする付記１から付記４のいずれか１つに記載の情報処理システム。
（付記６）
前記第１の情報処理装置の前記アラーム検出部は、前記無線タグから該識別情報を受信する受信電波の強さを表す値が閾値以下であることを前記要注意条件として用いることを特徴とする付記４に記載の情報処理システム。
（付記７）
前記第２の情報処理装置の前記発見検出部は、前記アラーム情報に含まれる識別情報の示す無線タグからの受信電波の強さを表す値が閾値以上であることを、前記発見条件として用いることを特徴とする付記１から付記６のいずれか１つに記載の情報処理システム。
（付記８）
自装置の位置を検出する位置検出部と、
対象物に付された無線タグの識別情報を格納する対象物情報格納部と、
前記無線タグからその識別情報を受信する識別情報受信部と、
前記対象物情報格納部にその識別情報が格納された無線タグのうち、前記識別情報受信部による受信状況が所定のアラーム条件を満たす無線タグを検出するアラーム検出部と、
前記アラーム検出部によって検出された無線タグの識別情報、および、前記位置検出部によって検出される自装置の位置を表す位置情報を含むアラーム情報を、他の情報処理装置に送信するアラーム情報送信部と、
を備えた情報処理装置。
（付記９）
対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信部と、
受信したアラーム情報を格納するアラーム情報格納部と、
前記アラーム情報格納部に格納された前記アラーム情報に含まれる位置情報を報知するアラーム検出位置報知部と、
前記アラーム情報格納部に格納された前記アラーム情報に含まれる識別情報が示す無線タグから該識別情報を受信する識別情報受信部と、
前記アラーム情報格納部に格納されたアラーム情報のうち、該アラーム情報に含まれる識別情報の前記識別情報受信部による受信状況が、所定の発見条件を満たすアラーム情報に関する報知を終了するよう前記アラーム検出位置報知部を制御する発見検出部と、
を備えた情報処理装置。
（付記１０）
第１の情報処理装置は、
対象物に付された無線タグからその識別情報を受信するための通信を行い、
前記識別情報の受信状況が所定のアラーム条件を満たすか否かを判断し、
前記所定のアラーム条件を満たす無線タグについて、該無線タグの識別情報、および、自装置の位置を表す位置情報を含むアラーム情報を第２の情報処理装置に送信し、
前記第２の情報処理装置は、
前記アラーム情報を受信し、
受信したアラーム情報に含まれる位置情報を報知し、
受信したアラーム情報に含まれる識別情報が示す無線タグから該識別情報を受信するための通信を行い、
該識別情報の受信状況が、所定の発見条件を満たすか否かを判断し、
該識別情報の受信状況が前記所定の発見条件を満たす場合に前記報知を終了する、情報処理方法。
（付記１１）
対象物に付された無線タグからその識別情報を受信するための通信を行い、
前記識別情報の受信状況が所定のアラーム条件を満たすか否かを判断し、
前記所定のアラーム条件を満たす無線タグについて、該無線タグの識別情報、および、自装置の位置を表す位置情報を含むアラーム情報を、他の情報処理装置に対して送信する、情報処理方法。
（付記１２）
対象物に付された無線タグの識別情報、および、他の情報処理装置における該識別情報の受信状況が所定のアラーム条件を満たした時点における前記他の情報処理装置の位置を表す位置情報を含むアラーム情報を受信し、
受信したアラーム情報に含まれる位置情報を報知し、
受信したアラーム情報に含まれる識別情報が示す無線タグから該識別情報を受信するための通信を行い、
該識別情報の受信状況が、所定の発見条件を満たすか否かを判断し、
前記受信状況が前記所定の発見条件を満たす場合に前記報知を終了する、情報処理方法。
（付記１３）
対象物に付された無線タグからその識別情報を受信するための通信を行う識別情報受信ステップと、
前記識別情報の受信状況が所定のアラーム条件を満たすか否かを判断するアラーム判断ステップと、
前記所定のアラーム条件を満たす無線タグについて、該無線タグの識別情報、および、自装置の位置を表す位置情報を含むアラーム情報を、他の情報処理装置に対して送信するアラーム情報送信ステップと、
をコンピュータ装置に実行させるコンピュータ・プログラム。
（付記１４）
対象物に付された無線タグの識別情報、および、他の情報処理装置における該識別情報の受信状況が所定のアラーム条件を満たした時点における前記他の情報処理装置の位置を表す位置情報を含むアラーム情報を受信するアラーム情報受信ステップと、
受信したアラーム情報に含まれる位置情報を報知するアラーム情報報知ステップと、
受信したアラーム情報に含まれる識別情報が示す無線タグから該識別情報を受信するための通信を行う識別情報受信ステップと、
該識別情報の受信状況が、所定の発見条件を満たすか否かを判断する発見判断ステップと、
前記受信状況が前記所定の発見条件を満たす場合に前記報知を終了する報知終了ステップと、
をコンピュータ装置に実行させるコンピュータ・プログラム。
【符号の説明】
【０１３２】
１、２    情報処理システム
１０、４０    親機
１１    位置検出部
１２    対象物情報格納部
１３    識別情報受信部
１４、４４    アラーム検出部
１５、４５    アラーム情報送信部
４６  報知部
２０、５０    アラーム受信機
２１、５１    アラーム情報受信部
２２    アラーム情報格納部
２３、５３    アラーム検出位置報知部
２４    識別情報受信部
２５、５５    発見検出部
３０    無線タグ
６０    サーバ装置
６１    対応装置情報格納部
６２    アラーム情報仲介部
６３    アラーム情報サーバ格納部
１００１、２００１    制御部
１００２、２００２    メモリ
１００３、２００３    液晶ディスプレイ
１００４、２００４    入力装置
１００５、２００５    スピーカ
１００６、２００６    アンテナ
１００７、２００７    無線通信モジュール
１００８、２００８    無線タグリーダ
１００９    位置検出装置
６００１    ＣＰＵ
６００２    ＲＡＭ
６００３    ＲＯＭ
６００４    記憶装置
６００５    ネットワークインタフェース
【図１】
2013117764.tif 000003
【図２】
2013117764.tif 000004
【図３】
2013117764.tif 000005
【図４】
2013117764.tif 000006
【図５】
2013117764.tif 000007
【図６】
2013117764.tif 000008
【図７】
2013117764.tif 000009
【図８】
2013117764.tif 000010
【図９】
2013117764.tif 000011
【図１０】
2013117764.tif 000012
【図１１】
2013117764.tif 000013
【図１２】
2013117764.tif 000014
【図１３】
2013117764.tif 000015